(57)【要約】【課題】植物の配置の自由度が高い建築物の室内構造を提供する。【解決手段】建築物の室内構造１０は第１床６１、および、第１床６１よりも低い位置に設けられる第２床６２を含む段差部６０と、第２床６２に支持され、植物１００を配置するための穴７０Ａを設けることのできる材料によって構成される植栽用部材７０とを備える。【選択図】図４
2020103050.tif 000002
【特許請求の範囲】
【請求項１】
第１床、および、前記第１床よりも低い位置に設けられる第２床を含む段差部と、
前記第２床に支持され、植物を配置するための穴を設けることのできる材料によって構成される植栽用部材とを備える
建築物の室内構造。
【請求項２】
複数の前記植栽用部材を備える
請求項１に記載の建築物の室内構造。
【請求項３】
前記植栽用部材の形状は直方体または立方体である
請求項１または２に記載の建築物の室内構造。
【請求項４】
前記第２床の床面に対する前記植栽用部材の最も高い面は前記第１床の床面よりも低い
請求項１〜３のいずれか一項に記載の建築物の室内構造。
【請求項５】
前記植栽用部材は窓を介して室外に面する
請求項１〜４のいずれか一項に記載の建築物の室内構造。
【請求項６】
前記第２床の床面に対する前記植栽用部材の最も高い面は前記窓の下端よりも上方に位置する
請求項５に記載の建築物の室内構造。
【請求項７】
前記植栽用部材を構成する材料は発泡プラスチックを含む
請求項１〜６のいずれか一項に記載の建築物の室内構造。
【請求項８】
前記第２床に設けられる排水路をさらに備える
請求項１〜７のいずれか一項に記載の建築物の室内構造。
【発明の詳細な説明】
【技術分野】
【０００１】
本発明は建築物の室内構造に関する。
【背景技術】
【０００２】
室内に植物を配置できるように構成される建築物の室内構造が知られている。例えば、特許文献１は基板面(６４)、基板面(６４)よりも上方に設けられる床面(６２)、基板面(６４)と床面(６２)との間に形成される空間(６６)、および、空間(６６)に配置される複数の育成槽(４０)を備えるショールーム(１)を開示している。複数の育成槽(４０)は植物(７１)を保持する内鉢(７０)を収容可能に構成される。
【先行技術文献】
【特許文献】
【０００３】
【特許文献１】特開平６−３８６４３号公報
【発明の概要】
【発明が解決しようとする課題】
【０００４】
特許文献１のショールーム(１)では、内鉢(７０)を配置できる位置が育成槽(４０)が設けられている位置に制限される。このため、植物の配置の自由度が低い。
【課題を解決するための手段】
【０００５】
(１)本発明に関する建築物の室内構造は第１床、および、前記第１床よりも低い位置に設けられる第２床を含む段差部と、前記第２床に支持され、植物を配置するための穴を設けることのできる材料によって構成される植栽用部材とを備える。
上記建築物の室内構造によれば、植栽用部材の任意の箇所に植物を配置するための穴を設けることができる。このため、植物の配置の自由度が高い。
【０００６】
(２)好ましい例では(１)に記載の建築物の室内構造において、複数の前記植栽用部材を備える。
このため、劣化した植栽用部材を個別に交換できるため、植栽用部材の交換作業を容易に実施できる。
【０００７】
(３)好ましい例では(１)または(２)に記載の建築物の室内構造において、前記植栽用部材の形状は直方体または立方体である。
このため、植栽用部材の位置が安定する。
【０００８】
(４)好ましい例では(１)〜(３)のいずれか一項に記載の建築物の室内構造において、前記第２床の床面に対する前記植栽用部材の最も高い面は前記第１床の床面よりも低い。
植栽用部材の最も高い面と第１床の床面との段差に砂利等の植栽用部材を遮蔽する物体を配置できる。このため、美観が高められる。
【０００９】
(５)好ましい例では(１)〜(４)のいずれか一項に記載の建築物の室内構造において、前記植栽用部材は窓を介して室外に面する。
このため、開放感が高められる。
【００１０】
(６)好ましい例では(５)に記載の建築物の室内構造において、前記第２床の床面に対する前記植栽用部材の最も高い面は前記窓の下端よりも上方に位置する。
窓の下端が視認されにくいため、開放感が一層高められる。
【００１１】
(７)好ましい例では(１)〜(６)のいずれか一項に記載の建築物の室内構造において、前記植栽用部材を構成する材料は発泡プラスチックを含む。
植栽用部材が軽量であるため、植栽用部材の交換作業を容易に実施できる。
【００１２】
(８)好ましい例では(１)〜(７)のいずれか一項に記載の建築物の室内構造において、前記第２床に設けられる排水路をさらに備える。
このため、植物の根腐れが生じにくい。
【発明の効果】
【００１３】
本発明に関する建築物の室内構造によれば、植物の配置の自由度が高い。
【図面の簡単な説明】
【００１４】
【図１】実施形態の室内構造を備える建築物の１階の平面図。
【図２】図１の植栽スペースの斜視図。
【図３】図１の植栽スペースに配置される植栽用部材および植物の斜視図。
【図４】図２のＤ４−Ｄ４線に沿う断面図。
【図５】植物の配置方法の除去工程に関する図。
【図６】植物の配置方法の穴加工工程に関する図。
【発明を実施するための形態】
【００１５】
(実施形態)
図１を参照して、建築物２００の室内構造１０の一例について説明する。建築物２００の一例は個別住宅、集合住宅、オフィス、ホテル、レストラン、または、ショールームである。図１等に示される例では、建築物２００は複数の階を含む個別住宅である。図１は個別住宅の１階の室内構造１０を示す平面図である。建築物２００の外壁２１０により囲まれる領域２００Ａは複数の壁２２０により区画される。領域２００Ａのうち複数の壁２２０により区画された箇所には、室内構造１０を構成する主な要素である室２０が形成される。
【００１６】
室２０の数および配置は任意に選択可能である。一例では、室２０はエントランス２１、ゲストリビング２２、リビング２３、トイレ２４、浴室２５、階段ホール２６、エレベータホール２７、および、植栽スペース３０を含む。階段ホール２６には、１階と２階(図示略)とを行き来するための階段９１が設置される。エレベータホール２７にはエレベータ９２が設置される。
【００１７】
植栽スペース３０は植物１００の配置の自由度が高くなるように構成される。植物１００は例えば観葉植物である。植栽スペース３０に配置される植物１００の形態は任意に選択できる。図３等に示される第１例では、植物１００は植木鉢１１０に植えられた状態で植栽スペース３０に配置される。第１例の場合、植木鉢１１０は鉢皿１２０に載せられた状態で植栽スペース３０に配置されることが好ましい。第２例では、植物１００はプランターに植えられた状態で植栽スペース３０に配置される。第３例では、植物１００は直接的に植栽スペース３０に配置される。植栽スペース３０は例えば、エントランス２１と面する位置に設けられる。このため、植栽スペース３０に配置されている植物１００が視認される頻度が高くなる。植栽スペース３０を構成する主な要素は第１壁４０、第２壁５０、段差部６０、植栽用部材７０、および、窓８０である。
【００１８】
図１に示されるように、第１壁４０はエレベータホール２７と植栽スペース３０とを区画する。第２壁５０は階段９１を介して第１壁４０と対向するように設けられる。第２壁５０は植栽スペース３０と室外２４０とを区画する。なお、図２では、第２壁５０の図示を省略している。
【００１９】
図２に示されるように、段差部６０は第１床６１、第１床６１よりも低い位置に設けられる第２床６２、および、第１床６１と第２床６２とを繋ぐ接続壁６３を含む。第１床６１は階段ホール２６の一部を構成する。第２床６２は例えば、基礎２３０の立ち上がり２３１によって囲まれる部分に設けられる土間コンクリートである。接続壁６３は第２床６２の床面６２Ａと第１床６１の床面６１Ａと反対側の面６１Ｂとを繋ぐ。
【００２０】
図４に示される第２床６２の床面６２Ａに対する第１床６１の床面６１Ａの高さＬＡは任意に選択できる。好ましい例では、高さＬＡは標準的なサイズの植木鉢１１０、または、標準的な容量のプランターが配置された場合であっても、植木鉢１１０およびプランターの上端部が第１床６１の床面６１Ａよりも低い位置となるように設定される。植木鉢１１０の標準的なサイズは例えば３号〜２０号である。プランターの標準的な容量は例えば１０Ｌ〜２５Ｌである。高さＬＡの最大値の一例は４９１ｍｍである。
【００２１】
植栽用部材７０はユーザの好みに応じて植栽スペース３０に植物１００を自由に配置できるように構成される。図２に示されるように、植栽用部材７０は第１壁４０、第２壁５０(図１参照)、接続壁６３、および、窓８０によって囲まれる領域３０Ａにおいて、第２床６２に支持されるように配置される。植栽用部材７０は植物１００を配置するための穴７０Ａ(図３参照)を設けることのできる材料によって構成される。好ましい例では、植栽用部材７０はユーザが植栽用部材７０の交換作業を容易に実施できるように、軽い材料によって構成される。その一例は発泡プラスチックである。発泡プラスチックの一例はビーズ法ポリスチレンフォーム(発泡スチロール)、押出法ポリスチレンフォーム、硬質ウレタンフォーム、および、フェノールフォームである。このため、植栽用部材７０が安価であり、かつ、植栽用部材７０を容易に入手できる。植栽用部材７０の形状は任意の形状を選択できる。図２等に示される第１例では、植栽用部材７０の形状は直方体である。第２例では、植栽用部材７０の形状は立方体である。第１例および第２例の場合、第２床６２に載せられている植栽用部材７０の位置が安定する。さらに、複数の植栽用部材７０が配置される場合に隣り合う植栽用部材７０の間に無駄なスペースが形成されにくい。第３例では、植栽用部材７０の形状は直方体および立方体以外の多角柱である。第４例では、植栽用部材７０の形状は球である。
【００２２】
領域３０Ａに配置される植栽用部材７０の数は任意に選択できる。一例では、領域３０Ａには、１２個の植栽用部材７０が配置される。劣化した植栽用部材７０を個別に交換できるため、植栽用部材７０の交換作業を容易に実施できる。領域３０Ａに複数の植栽用部材７０が配置される場合、その配置態様は任意に選択できる。図３等に示される例では、植栽用部材７０が３個ずつ重ねられたユニット７１が４つ配置される。１つのユニット７１を構成する３個の植栽用部材７０は互いに接合されていない。４つのユニット７１は互いに接合されていない。
【００２３】
植栽用部材７０に設けられる穴７０Ａの数は１または複数である。穴７０Ａは例えば切断工具を用いて設けられる。切断工具の一例はカッターナイフである。穴７０Ａの位置は配置する植物１００の位置に応じて任意に選択できる。第１例では、穴７０Ａは１つのユニット７１に設けられる。第２例では、穴７０Ａは複数のユニット７１に跨るように設けられる。図３等では、１つのユニット７１のみに穴７０Ａが設けられる例を図示している。穴７０Ａのサイズは配置される植物１００、植木鉢１１０、鉢皿１２０、および、プランターの大きさに応じて決められる。図４に示されるように、穴７０Ａのサイズは直径ＬＢおよび深さＬＣによって規定される。図４に示される例では、穴７０Ａの最大の直径ＬＢは鉢皿１２０の最大の幅よりも若干大きい。図４等に示される例では、穴７０Ａの深さＬＣはユニット７１の厚さＬＤと等しい。換言すれば、図４等に示される例では、穴７０Ａはユニット７１を貫通する。別の例では、穴７０Ａの深さＬＣはユニット７１の厚さＬＤよりも短い。換言すれば、別の例では、穴７０Ａはユニット７１を貫通しない。
【００２４】
植物１００に水が与えられた場合、植木鉢１１０および鉢皿１２０から溢れ出した水は複数の植栽用部材７０の境界部分の微小の隙間を通過して第２床６２に流れる。第２床６２は所定の排水勾配および排水路６２Ｂが設けられる。第２床６２に流れた水は排水路６２Ｂから排出される。このため、植物１００の根腐れが生じにくい。
【００２５】
複数のユニット７１は上面７１Ａが第１床６１の床面６１Ａよりも低い位置となるように配置される。上面７１Ａと床面６１Ａとの段差には、植栽用部材７０、穴７０Ａ、植木鉢１１０、および、鉢皿１２０を遮蔽する遮蔽部材７２が配置される。遮蔽部材７２は例えば砂利である。植栽用部材７０、穴７０Ａ、植木鉢１１０、および、鉢皿１２０が視認されないため、植栽スペース３０の美観が高められる。
【００２６】
窓８０は植栽スペース３０と室外２４０とを区画する。植栽用部材７０は窓８０を介して室外２４０に面する。植栽スペース３０が室外２４０と繋がっているような印象をユーザに与えることができるため、植栽スペース３０の開放感が高められる。窓８０はフレーム８１にはめ込まれた状態で基礎２３０の立ち上がり２３１に支持される。ユニット７１の上面７１Ａは窓８０の下端８０Ａよりも上方に位置する。窓８０の下端８０Ａが視認されにくいため、植栽スペース３０が室外２４０と繋がっているような印象をユーザに与えることができる。このため、植栽スペース３０の開放感が一層高められる。さらには、室外２４０に植物が存在する場合、室外２４０の植物と植栽スペース３０の植物１００とに連続感が生まれる。
【００２７】
植物１００の配置方法の一例について説明する。
植物１００を配置方法は除去工程、穴加工工程、配置工程、および、遮蔽工程を含む。図５に示されるように、除去工程では、遮蔽部材７２のうち、植物１００を配置する箇所に対応する遮蔽部材７２が取り除かれる。穴加工工程は除去工程の後に実施される。穴加工工程の第１例では、穴７０Ａを形成する植栽用部材７０が領域３０Ａから取り出され、取り出された植栽用部材７０に任意の場所で切断工具を用いて穴７０Ａが設けられる。図６に示されるように、穴７０Ａが設けられた後、植栽用部材７０は元の位置に戻される。穴加工工程の第２例では、穴７０Ａを形成する植栽用部材７０は第２床６２に置かれた状態で切断工具を用いて穴７０Ａが設けられる。配置工程は穴加工工程の後に実施される。配置工程では、植栽用部材７０に設けられた穴７０Ａに植物１００、植木鉢１１０、および、鉢皿１２０が配置される。遮蔽工程は配置工程の後に実施される。遮蔽工程では、除去工程で取り除かれた遮蔽部材７２が植栽用部材７０、穴７０Ａ、植木鉢１１０、および、鉢皿１２０を遮蔽するように戻される。
【００２８】
建築物２００の室内構造１０によれば、次のような作用および効果が得られる。
実施形態の建築物２００の室内構造１０によれば、植栽用部材７０の任意の箇所に植物１００を配置するための穴７０Ａを設けることができる。このため、植物１００の配置の自由度が高い。
【００２９】
(変形例)
上記実施形態は本発明に関する建築物の室内構造が取り得る形態の例示であり、その形態を制限することを意図していない。本発明に関する建築物の室内構造は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００３０】
植栽用部材７０の構成は任意に変更できる。変形例の建築物２００の室内構造１０では、１つのユニット７１を構成する複数の植栽用部材７０が接合手段によって互いに接合される。接合手段の一例は接着剤または粘着テープである。
【符号の説明】
【００３１】
１０  ：室内構造
２０  ：室
６０  ：段差部
６１  ：第１床
６１Ａ：床面
６２  ：第２床
６２Ａ：床面
７０  ：植栽用部材
７０Ａ：穴
７１Ａ：上面
７２  ：遮蔽部材
８０  ：窓
１００：植物
２００：建築物
２４０：室外
【図１】
2020103050.tif 000003
【図２】
2020103050.tif 000004
【図３】
2020103050.tif 000005
【図４】
2020103050.tif 000006
【図５】
2020103050.tif 000007
【図６】
2020103050.tif 000008